(57)【要約】      （修正有）【課題】支持板にＶ字状の溝を刻設することにより、山形とした簀状の床板をベッドのいろいろな場所に異なる傾斜で設置することができる高低山形布団掛け簀ベッドを提供する。【解決手段】夫々の支持板３の上面に二等辺三角形の断面のＶ字状の溝Ｖ１〜Ｖ４が等間隔に３ヶ所以上刻設され、枢軸Ｘにて回動自在の枢軸部を支点として左右に一体に形成された簀の両面部の両側下部をベッドに載置したときに桟の四隅部下面にアール面部２１ａ，２２ａを形成し該アール面部を利用して簀をベッドの支持板に設けられている３ヶ所以上のＶ字状溝へ大小山形状に植立可能にして高低山形布団掛け簀ベッドを形成する。【選択図】図５
0003168803.tif 000002
【実用新案登録請求の範囲】
【請求項１】
簀の床板が枢軸によって回動可能に枢着された同じサイズの２部分からなり、ベッドの枠構造の両側板の夫々に簀の床板の両端部の桟を載置するための支持板が固着されている簀ベッドにおいて、
簀ベッドの支持板の上面にＶ字状の溝が等間隔に３ヶ所以上夫々刻設されており、該溝の断面は二等辺三角形をなし、枢軸にて回動自在の簀を枢軸部を支点として左右に一体に形成された簀の床板の左右両面部下部に設けられた桟を簀ベッドに載置したときに於て、簀の両桟の４隅部下面には夫々アール面部が形成されており、簀へ布団掛けを必要とする際には、枢軸部を支点として簀を立てていき桟の４隅部をＶ字状の溝へ嵌込みし、このとき簀の桟の４隅部のアール面部が夫々Ｖ字状の溝中に適確に嵌り込みされていて、大小、高低のある山形布団掛けの際にも布団の荷重による揺動が起きないように構成されていることを特徴とする高低山形布団掛け簀ベッド。
【考案の詳細な説明】
【技術分野】
【０００１】
本考案は、マットレスが敷設される床板部分が簀状に形成されている高低山形布団掛け簀ベッドに関するものであり、さらに詳しくは以下の構成を有する高低山形布団掛け簀ベッドに関するものである。
＜構成１＞
簀の床板が枢軸によって回動可能に枢着された同じサイズの２部分からなり、ベッドの枠構造の両側板の夫々に簀の床板の両端部の桟を載置するための支持板が固着されている簀ベッドにおいて、
簀ベッドの支持板の上面にＶ字状の溝が等間隔に３ヶ所以上夫々刻設されており、該溝の断面は二等辺三角形をなし、枢軸にて回動自在の簀を枢軸部を支点として左右に一体に形成された簀の床板の左右両面部下部に設けられた桟を簀ベッドに載置したときに於て、簀の両桟の４隅部下面には夫々アール面部が形成されており、簀へ布団掛けを必要とする際には、枢軸部を支点として簀を立てていき桟の４隅部をＶ字状の溝へ嵌込みし、このとき簀の桟の４隅部のアール面部が夫々Ｖ字状の溝中に適確に嵌り込みされていて、大小、高低のある山形布団掛けの際にも布団の荷重による揺動が起きないように構成されていることを特徴とする高低山形布団掛け簀ベッド。
【背景技術】
【０００２】
ベッドの床板部分が簀状になっているベッドは公知技術である。また、簀状の床板を２枚以上に分割して枢着し、床板を支える支持板の上に山形に立てて布団干しに用いることができるようにした技術も開示されている。下記特許文献１、２はそのような技術の例である。このような場合には、床板を支える支持板の上面にＶ字状の溝を刻設してその溝に簀状の床板の下端部分が嵌設されるように構成されており、この溝によって山形に立てられた簀状の床板は安定し、これを布団干しとして用いることができるようになるわけである。
【０００３】
ただ、下記特許文献１、２に記載の発明は、両方とも山形に立てられた簀状の床板を載置できる支持板の位置が限定されており、この点が実際の使用においては場合によっては使いづらい要素となる。すなわち、このようなベッドを用いて布団を干そうとする場合には、部屋の形状や部屋の中の家具等の配置、あるいは壁面の状態や窓の配置等によって、布団を干すのに最適の位置というものが個別に生じてくるわけであるが、下記特許文献１、２に記載の発明のように布団を干せる位置が予め限定されている場合には、必ずその位置に干さねばならないので、場合によっては不都合が生じる。すなわち、壁面に額がかかっていたり吊り戸棚があって干せないとか、あるいは窓から離れた位置に干さなければならないので風が通りにくいとか日が当たりにくいとかさまざまな事情が考えられる。
【０００４】
したがって、本来からいえば、布団を干すために山形とした簀状の床板をベッドの両端部のどちらにも、あるいは中間部にも自由自在に設置できると非常に使い易い。また、山形の傾斜も一通りではなく急な傾斜にしたりなだらかな傾斜にしたりできると都合が良い。下記特許文献２においては、傾斜の調節は若干できるものの、布団を干す位置はやはり一箇所に限定されているので、傾斜の調節ができるという特質を十全に生かす構成にはなっていない。
【０００５】
それでは、山形とした簀状の床板をベッドのいろいろな場所に異なる傾斜で設置可能にするためにはどのような技術的困難を乗り越えなければならないかといえば、それは、山形とした簀状の床板が支持板に接する部分における、簀状の床板の端部の形状の工夫と支持板に刻設されるＶ字状の溝の形状である。すなわち、支持板に刻設されるＶ字状の溝は、複数個のものが同一形状で、しかも山形の傾斜が変化した場合にも安定的に簀状の床板の端部を支えられるものでなければならず、また、これに呼応する簀状の床板の端部にも最適化のための工夫が必要となる。本考案においては、上記２点の開発を主眼とした。
【先行技術文献】
【特許文献】
【０００６】
【特許文献１】特開２００５−５２６１６号公報
【特許文献２】特開２００２−１２５８０６号公報
【考案の概要】
【考案が解決しようとする課題】
【０００７】
上記より、本考案が解決しようとする課題は、次のとおりとなる。
山形とした簀状の床板をベッドのいろいろな場所に異なる傾斜で設置することができる支持板に刻設されるＶ字状の溝と簀状の床板の端部を有する高低山形布団掛け簀ベッドを開発する。
【課題を解決するための手段】
【０００８】
本考案は、上記課題を解決するためになされたものであり、以下に示す解決手段を提供する。
＜解決手段１＞
簀の床板が枢軸によって回動可能に枢着された同じサイズの２部分からなり、ベッドの枠構造の両側板の夫々に簀の床板の両端部の桟を載置するための支持板が固着されている簀ベッドにおいて、
簀ベッドの支持板の上面にＶ字状の溝が等間隔に３ヶ所以上夫々刻設されており、該溝の断面は二等辺三角形をなし、枢軸にて回動自在の簀を枢軸部を支点として左右に一体に形成された簀の床板の左右両面部下部に設けられた桟を簀ベッドに載置したときに於て、簀の両桟の４隅部下面には夫々アール面部が形成されており、簀へ布団掛けを必要とする際には、枢軸部を支点として簀を立てていき桟の４隅部をＶ字状の溝へ嵌込みし、このとき簀の桟の４隅部のアール面部が夫々Ｖ字状の溝中に適確に嵌り込みされていて、大小、高低のある山形布団掛けの際にも布団の荷重による揺動が起きないように構成されていることを特徴とする高低山形布団掛け簀ベッド。
【考案の効果】
【０００９】
本考案の解決手段１に記載の高低山形布団掛け簀ベッドは、簀ベッドの支持板の上面にＶ字状の溝が等間隔に３ヶ所以上夫々刻設されており、該溝の断面は二等辺三角形をなし、枢軸にて回動自在の簀を枢軸部を支点として左右に一体に形成された簀の床板の左右両面部下部に設けられた桟を簀ベッドに載置したときに於て、簀の両桟の４隅部下面には夫々アール面部が形成されている。したがって、簀へ布団掛けを必要とする際には、簀を枢軸部を支点として立てていき桟の４隅部をＶ字状の溝へ嵌込みする。このとき簀の４隅部のアール面部が夫々Ｖ字状の溝中に適確に嵌込みしているゆえ、布団の荷重による揺動が生じたり、また、揺動により布団掛け簀が倒れたりする虞れはない頗る重宝な高低山形布団掛け簀ベッドである。
【図面の簡単な説明】
【００１０】
【図１】本考案の実施例１の高低山形布団掛け簀ベッドの外観斜視図である。
【図２】（ａ）本考案の実施例１の高低山形布団掛け簀ベッドの簀状の床板の平面図である。  （ｂ）本考案の実施例１の高低山形布団掛け簀ベッドの簀状の床板の正面図である。  （ｃ）図２ｂの要部の拡大図である。  （ｄ）図２ｂの要部の拡大図である。
【図３】（ａ）本考案の実施例１の高低山形布団掛け簀ベッドの枠組の平面図である。  （ｂ）図３ａのＡ−Ａ線断面図である。
【図４】（ａ）本考案の実施例１の高低山形布団掛け簀ベッドの正面側の支持板の平面図である。    （ｂ）本考案の実施例１の高低山形布団掛け簀ベッドの正面側の支持板の正面図である。    （ｃ）本考案の実施例１の高低山形布団掛け簀ベッドの背面側の支持板の平面図である。    （ｂ）本考案の実施例１の高低山形布団掛け簀ベッドの背面側の支持板の正面図である。
【図５】（ａ）本考案の実施例１の高低山形布団掛け簀ベッドの正面側の支持板に床板が水平に載置された状態を説明する説明図である。    （ｂ）本考案の実施例１の高低山形布団掛け簀ベッドの正面側の支持板に床板が第４位置をとって載置された状態を説明する説明図である。
【図６】本考案の実施例１の高低山形布団掛け簀ベッドの正面側の支持板に床板が第１位置及び第３位置をとって載置された状態を説明する説明図である。
【図７】本考案の実施例１の高低山形布団掛け簀ベッドの正面側の支持板に床板が第２位置をとって載置された状態を説明する説明図である。
【図８】本考案の実施例１の高低山形布団掛け簀ベッドの正面側の支持板に床板が第５位置をとって載置された状態を説明する説明図である。
【図９】（ａ）本考案の実施例１の高低山形布団掛け簀ベッドの支持板のＶ字状の溝の構成を説明するための説明図である。（ｂ）本考案の実施例１の高低山形布団掛け簀ベッドの床板の端部とＶ字状の溝が第４位置と第５位置にある場合の嵌設状態を説明するための説明図である。    （ｃ）本考案の実施例１の高低山形布団掛け簀ベッドの床板の端部とＶ字状の溝が第１位置〜第３位置にある場合の嵌設状態を説明するための説明図である。    （ｄ）床板の端部下面にアール面部を設けていない比較例において第４位置と第５位置の嵌設状態を説明するための説明図である。    （ｅ）床板の端部下面にアール面部を設けていない比較例において第１位置〜第３位置の嵌設状態を説明するための説明図である。
【図１０】（ａ）隣接するＶ字状の溝の間の距離として理論上の最大値をとった場合におけるＶ字状の溝の両側面のなす角度を表示する模式図である。    （ｂ）隣接するＶ字状の溝の間の距離として実施例１における値をとった場合におけるＶ字状の溝の両側面のなす角度を表示する模式図である。    （ｃ）隣接するＶ字状の溝の間の距離として実施例１における値より小なる値をとった場合におけるＶ字状の溝の両側面のなす角度を表示する模式図である。
【考案を実施するための形態】
【００１１】
本考案を実施するための形態を、図面を参照しながら詳細に説明する。
【実施例１】
【００１２】
＜実施例１の構成＞
本考案の実施例１の高低山形布団掛け簀ベッドＢは、図１に示すように、木製の枠組１と簀状の床板２より構成されている。枠組１は図１、図３に見るように頭板１１、足板１２、側板１３、側板１４が枠状に組付けられて構成されており、側板１３に固着された支持板３、側板１４に固着された支持板４に床板２が載置される。床板２上には図示しないマットレスが敷設される。
【００１３】
床板２は略同形同大の簀状の床板２１と床板２２から構成されており、図２ａ、図２ｂに示すように、床板２１、２２の隣接する端部同士が枢軸Ｘによって枢着されている。したがって、図２ａ、図２ｂにては水平状態にて示しているが、床板２１、２２は枢軸Ｘにより回動自在に枢着され、図５〜図８に示すような山形形状を取りえるものである。また、図２ｃに示すように床板２１の枢着されていない方の端部２１ａにおいては、桟２１１〜２１４の端部下面２１１ａ〜２１４ａにアール面部Ｒ１が設けられている。同様に、図２ｄに示すように床板２２の枢着されていない方の端部２２ａにおいても、桟２２１〜２２４の端部下面２２１ａ〜２２４ａにアール面部Ｒ２が設けられている。なお、２１Ａは桟２２１〜２２４に架設固着された簀板、２２Ａは桟２２１〜２２４に架設固着された簀板である。２１Ａ、２２Ａともに複数が架設固着されている。
【００１４】
アール面部Ｒ１の半径ｒ１は桟２２１〜２２４の厚さＤの３０〜５０％に構成されることができ、Ｒ２の半径ｒ２も桟２２１〜２２４の厚さＤの３０〜５０％に構成されることができる。図２に示した実施例１にては、桟２１１〜２１４、桟２２１〜２２４の厚さＤは４０ｍｍであり、半径ｒ１、ｒ２は１５ｍｍである。すなわち、半径ｒ１、ｒ２は桟２１１〜２１４、桟２２１〜２２４の厚さＤの３７．５％となっている。半径ｒ１、ｒ２が厚さＤの３０％を下回るとアール面部の効果が少なくなり、また厚さＤの５０％を上回るとかえって不安定になる。
【００１５】
図４には、側板１３の背面に固着される支持板３（図４ａ、図４ｂ）、側板１４の正面に固着される支持板４（図４ｃ、図４ｄ）を示す。支持板３は足部支持板３１、中間部支持板３２、頭部支持板３３の３つの部分に分かたれて側板１３の背面に固着されており、足部支持板３１の左端にはＶ字状の溝Ｖ１が、右端にはＶ字状の溝Ｖ２が夫々刻設され、頭部支持板３３の左端にはＶ字状の溝Ｖ３が、右端にはＶ字状の溝Ｖ４が夫々刻設されている。中間部支持板３２には溝は刻設されていない。なお、溝Ｖ１、Ｖ２、Ｖ３、Ｖ４は夫々が等間隔（間隔ｄ）にて設けられている。
【００１６】
支持板４も足部支持板４１、中間部支持板４２、頭部支持板４３の３つの部分に分かたれて側板１４の正面に固着されており、足部支持板３４の左端にはＶ字状の溝Ｖ５が、右端にはＶ字状の溝Ｖ６が夫々刻設され、頭部支持板４３の左端にはＶ字状の溝Ｖ７が、右端にはＶ字状の溝Ｖ８が夫々刻設されている。中間部支持板４２には溝は刻設されていない。なお、溝Ｖ５、Ｖ６、Ｖ７、Ｖ８は夫々が等間隔（間隔ｄ）にて設けられている。
【００１７】
Ｖ字状の溝Ｖ１〜Ｖ８はすべて同型同大に構成されているので、今これを図９ａの溝Ｖとして代表的に表わせば、溝Ｖの両側の側壁Ｖａと側壁Ｖｂが作る角度αは９６°から１１０°の範囲内から任意に選択される数値に構成される。実施例１にては、α＝１００°に構成されている。なお、側壁Ｖａが水平線Ｈとなす角度βと側壁Ｖｂが水平線Ｈとなす角度γは等しくなるように構成されている。なお、図９ｂには床板２の端部２ＴとＶ字状の溝Ｖが第４位置Ｐ４と第５位置Ｐ５にある場合の嵌設状態を、図９ｃには床板２の端部２ＴとＶ字状の溝Ｖが第１位置Ｐ１〜第３位置Ｐ３にある場合の嵌設状態を示す。また、図９ｄは端部下面にアール面部が構成されていない比較例Ｃが第４位置Ｐ４と第５位置Ｐ５にある場合の嵌設状態を、図９ｅには同じく端部下面にアール面部が構成されていない比較例Ｃが第１位置Ｐ１〜第３位置Ｐ３にある場合の嵌設状態を示す。
【００１８】
床板２は枢軸Ｘにて回動されて山形に構成された際に、５つのパターンをとり得る。即ち、支持板３の溝Ｖ１と溝Ｖ２を用いた第１位置Ｐ１（図６参照）、溝Ｖ２と溝Ｖ３を用いた第２位置Ｐ２（図７参照）、溝Ｖ３と溝Ｖ４を用いた第３位置Ｐ３（図６参照）、溝Ｖ１と溝Ｖ３を用いた第４位置Ｐ４（図５ｂ参照）、溝Ｖ２と溝Ｖ４を用いた第５位置Ｐ５（図８参照）の５つのパターンである。図１０ａは、間隔ｄを理論的に考えられる最大値とした場合の模式図であって、角度αは約９６°、図１０ｂは、本考案の実施例１の場合の模式図であって、角度αは約１００°、図１０ｃは、間隔ｄを本考案の実施例１より狭めた場合の模式図であって、角度αは約１１０°である。理論的には、間隔ｄを図１０ｃより狭くすることも可能であるが、あまりに狭いと第１〜第３位置においては安定が悪くなるので、図１０ｃの状態を角度αの上限とした。
【００１９】
＜実施例１の作用＞
本考案の実施例１の高低山形布団掛け簀ベッドＢは、通常ベッドとして使用する場合には、図１、図３に示すように、枠組１の側板１３の支持板３と側板１４の支持板４上に水平形状とした床板２を載置して用いる。また、床板２を用いて布団干しとする場合には、図５から図８に示す５とおりの位置（第１位置Ｐ１〜第５位置Ｐ５）の任意の位置を選択して床板２を山形形状となし、これを布団干しとして用いる。
【００２０】
この際、第１位置Ｐ１にては支持板３の溝Ｖ１、Ｖ２、支持板４の溝Ｖ５、Ｖ６を用い、第２位置にては支持板３の溝Ｖ２、Ｖ３、支持板４の溝Ｖ６、Ｖ７を用い、第３位置にては支持板３の溝Ｖ３、Ｖ４、支持板４の溝Ｖ７、Ｖ８を用い、第４位置にては支持板３の溝Ｖ１、Ｖ３、支持板４の溝Ｖ５、Ｖ７を用い、第５位置にては支持板３の溝Ｖ２、Ｖ４、支持板４の溝Ｖ６、Ｖ８を用いる。これにて５パターンの使用方法が可能となる。
【産業上の利用可能性】
【００２１】
本考案の高低山形布団掛け簀ベッドは、狭い日本の部屋の状況に合わせて布団干し用の簀状の床板を５パターンの高低山形にて形成できるゆえ、産業上の利用可能性は誠に大である。
【符号の説明】
【００２２】
１            枠組
１１          頭板
１２          足板
１３          側板
１４          側板
２            床板
２１          床板
２１ａ        端部
２１１        桟
２１１ａ      端部下面
２１２        桟
２１２ａ      端部下面
２１３        桟
２１３ａ      端部下面
２１４        桟
２１４ａ      端部下面
２１Ａ        簀板
２１ａ        端部
２２          床板
２２ａ        端部
２２１        桟
２２１ａ      端部下面
２２２        桟
２２２ａ      端部下面
２２３        桟
２２３ａ      端部下面
２２４        桟
２２４ａ      端部下面
２２Ａ        簀板
２２ａ        端部
２Ｔ          端部
３            支持板
３１          足部支持板
３２          中間部支持板
３３          頭部支持板
４            支持板
４１          足部支持板
４２          中間部支持板
４３          頭部支持板
Ｂ            高低山形布団掛け簀ベッド
Ｃ            比較例
Ｄ            厚さ
Ｈ            水平線
Ｐ１          第１位置
Ｐ２          第２位置
Ｐ３          第３位置
Ｐ４          第４位置
Ｐ５          第５位置
Ｒ１          アール面部
Ｒ２          アール面部
Ｖ            溝
Ｖ１          溝
Ｖ２          溝
Ｖ３          溝
Ｖ４          溝
Ｖ５          溝
Ｖ６          溝
Ｖ７          溝
Ｖ８          溝
Ｖａ          側壁
Ｖｂ          側壁
Ｘ            枢軸
ｄ            間隔
ｒ１          半径
ｒ２          半径
α            角度
β            角度
γ            角度
【図１】
0003168803.tif 000003
【図２】
0003168803.tif 000004
【図３】
0003168803.tif 000005
【図４】
0003168803.tif 000006
【図５】
0003168803.tif 000007
【図６】
0003168803.tif 000008
【図７】
0003168803.tif 000009
【図８】
0003168803.tif 000010
【図９】
0003168803.tif 000011
【図１０】
0003168803.tif 000012